(57)【要約】【課題】小型で諸収差の発生が抑制され、解像度が高く高性能なインナーフォーカスレンズ系、交換レンズ装置及びカメラシステムを提供する。【解決手段】第１レンズ群と後続レンズ群とからなり、開口絞りを備え、第１レンズ群はフォーカシングの際に像面に対して固定で、最物体側の第１正レンズ素子と第２正レンズ素子とを含む５枚以上のレンズ素子で構成され、後続レンズ群は最物体側の第１フォーカシングレンズ群と第２フォーカシングレンズ群とを少なくとも備え、第１フォーカシングレンズ群及び第２フォーカシングレンズ群の少なくとも１つは２枚以下のレンズ素子で構成され、開口絞りよりも像側に少なくとも１枚のレンズ素子を備え、条件：ＮＦ１≦ＮＦ２（ＮＦ１、ＮＦ２：第１、第２フォーカシングレンズ群を構成するレンズ素子の数）を満足するインナーフォーカスレンズ系、交換レンズ装置及びカメラシステム。【選択図】図１
2014038304.tif 000002
【特許請求の範囲】
【請求項１】
物体側から像側へと順に、第１レンズ群と、後続レンズ群とからなり、
開口絞りを備え、
前記第１レンズ群は、無限遠合焦状態から近接物体合焦状態へのフォーカシングの際に、像面に対して固定であり、
前記第１レンズ群は、最物体側に位置し、正のパワーを有する第１正レンズ素子と、正のパワーを有する第２正レンズ素子とを含む５枚以上のレンズ素子で構成され、
前記後続レンズ群は、前記フォーカシングの際に光軸に沿って移動するフォーカシングレンズ群として、最物体側に位置する第１フォーカシングレンズ群と、第２フォーカシングレンズ群とを少なくとも備え、
前記第１フォーカシングレンズ群及び前記第２フォーカシングレンズ群のうち少なくとも１つは、２枚以下のレンズ素子で構成され、
前記開口絞りよりも像側に、少なくとも１枚のレンズ素子を備え、
以下の条件（１）を満足する、インナーフォーカスレンズ系：
ＮＦ１≦ＮＦ２  ・・・（１）
ここで、
ＮＦ１：第１フォーカシングレンズ群を構成するレンズ素子の数、
ＮＦ２：第２フォーカシングレンズ群を構成するレンズ素子の数
である。
【請求項２】
以下の条件（２）を満足する、請求項１に記載のインナーフォーカスレンズ系：
ＭＦ１／ＭＦ２＞２  ・・・（２）
ここで、
ＭＦ１：フォーカシングの際の第１フォーカシングレンズ群の最大移動量、
ＭＦ２：フォーカシングの際の第２フォーカシングレンズ群の最大移動量
である。
【請求項３】
以下の条件（３）を満足する、請求項１に記載のインナーフォーカスレンズ系：
νｄＬ１＜３５  ・・・（３）
ここで、
νｄＬ１：第１正レンズ素子のｄ線に対するアッベ数
である。
【請求項４】
以下の条件（４）を満足する、請求項１に記載のインナーフォーカスレンズ系：
ｎｄＬ１＞１．８  ・・・（４）
ここで、
ｎｄＬ１：第１正レンズ素子のｄ線に対する屈折率
である。
【請求項５】
以下の条件（５）を満足する、請求項１に記載のインナーフォーカスレンズ系：
１＜｜ｆＦ１／ｆＦ２｜＜３  ・・・（５）
ここで、
ｆＦ１：第１フォーカシングレンズ群の焦点距離、
ｆＦ２：第２フォーカシングレンズ群の焦点距離
である。
【請求項６】
像のぶれを光学的に補正するために光軸に対して垂直方向に移動する像ぶれ補正レンズ群をさらに備え、
以下の条件（６）を満足する、請求項１に記載のインナーフォーカスレンズ系：
０．１＜｜ｆＯＩＳ／ｆＡ｜＜２  ・・・（６）
ここで、
ｆＯＩＳ：像ぶれ補正レンズ群の焦点距離、
ｆＡ：インナーフォーカスレンズ系全系の焦点距離
である。
【請求項７】
以下の条件（７）を満足する、請求項６に記載のインナーフォーカスレンズ系：
０．１＜｜ｆＯＩＳ／ｆＦ１｜＜１．２  ・・・（７）
ここで、
ｆＯＩＳ：像ぶれ補正レンズ群の焦点距離、
ｆＦ１：第１フォーカシングレンズ群の焦点距離
である。
【請求項８】
以下の条件（８）を満足する、請求項６に記載のインナーフォーカスレンズ系：
０．４＜｜ｆＯＩＳ／ｆＦ２｜＜０．９２  ・・・（８）
ここで、
ｆＯＩＳ：像ぶれ補正レンズ群の焦点距離、
ｆＦ２：第２フォーカシングレンズ群の焦点距離
である。
【請求項９】
以下の条件（９）を満足する、請求項１に記載のインナーフォーカスレンズ系：
０．３＜｜ｆＧ１／ｆＦ１｜＜１．１  ・・・（９）
ここで、
ｆＧ１：第１レンズ群の焦点距離、
ｆＦ１：第１フォーカシングレンズ群の焦点距離
である。
【請求項１０】
以下の条件（１０）を満足する、請求項１に記載のインナーフォーカスレンズ系：
｜ＴＨＦ１／ｆＡ｜＜０．０３  ・・・（１０）
ここで、
ＴＨＦ１：第１フォーカシングレンズ群の光軸上での厚み、
ｆＡ：インナーフォーカスレンズ系全系の焦点距離
である。
【請求項１１】
以下の条件（１１）を満足する、請求項１に記載のインナーフォーカスレンズ系：
｜ＴＨＦ２／ｆＡ｜＜０．０５  ・・・（１１）
ここで、
ＴＨＦ２：第２フォーカシングレンズ群の光軸上での厚み、
ｆＡ：インナーフォーカスレンズ系全系の焦点距離
である。
【請求項１２】
像ぶれ補正レンズ群は、１枚のレンズ素子で構成される、請求項６に記載のインナーフォーカスレンズ系。
【請求項１３】
第１フォーカシングレンズ群は、負のパワーを有する、請求項１に記載のインナーフォーカスレンズ系。
【請求項１４】
開口絞りは、第１フォーカシングレンズ群と第２フォーカシングレンズ群との間に配置される、請求項１に記載のインナーフォーカスレンズ系。
【請求項１５】
無限遠合焦状態から近接物体合焦状態へのフォーカシングの際に像面に対して固定であるレンズ群が、第１フォーカシングレンズ群と第２フォーカシングレンズ群との間に配置される、請求項１に記載のインナーフォーカスレンズ系。
【請求項１６】
像ぶれ補正レンズ群は、第１フォーカシングレンズ群と第２フォーカシングレンズ群との間に配置される、請求項６に記載のインナーフォーカスレンズ系。
【請求項１７】
第１レンズ群を構成するすべてのレンズ素子は、メニスカス形状を有する、請求項１に記載のインナーフォーカスレンズ系。
【請求項１８】
請求項１に記載のインナーフォーカスレンズ系と、
前記インナーフォーカスレンズ系が形成する光学像を受光して電気的な画像信号に変換する撮像素子を含むカメラ本体との接続が可能なレンズマウント部と
を備える、交換レンズ装置。
【請求項１９】
請求項１に記載のインナーフォーカスレンズ系を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える、カメラシステム。
【発明の詳細な説明】
【技術分野】
【０００１】
本開示は、インナーフォーカスレンズ系、交換レンズ装置及びカメラシステムに関する。
【背景技術】
【０００２】
交換レンズ装置やカメラシステム等の、光電変換を行う撮像素子を持つカメラに対するコンパクト化及び高性能化の要求は極めて高く、このようなカメラに用いるレンズ系が種々提案されている。
【０００３】
特許文献１〜４は、無限遠合焦状態から近接物体合焦状態へのフォーカシングの際に像面に対して固定で、正の屈折力を有する第１レンズ群と、後続レンズ群とを備えたインナーフォーカスレンズ系を開示している。
【先行技術文献】
【特許文献】
【０００４】
【特許文献１】特開平０１−２３７６１１号公報
【特許文献２】特開平０７−３０１７４９号公報
【特許文献３】特開２００９−２８８３８４号公報
【特許文献４】特開２０１２−０５８６８２号公報
【発明の概要】
【発明が解決しようとする課題】
【０００５】
本開示は、小型でありながら、諸収差の発生が充分に抑制され、解像度が高く高性能なインナーフォーカスレンズ系を提供する。また本開示は、該インナーフォーカスレンズ系を含む交換レンズ装置及び該交換レンズ装置を備えたカメラシステムを提供する。
【課題を解決するための手段】
【０００６】
本開示におけるインナーフォーカスレンズ系は、
物体側から像側へと順に、第１レンズ群と、後続レンズ群とからなり、
開口絞りを備え、
前記第１レンズ群は、無限遠合焦状態から近接物体合焦状態へのフォーカシングの際に、像面に対して固定であり、
前記第１レンズ群は、最物体側に位置し、正のパワーを有する第１正レンズ素子と、正のパワーを有する第２正レンズ素子とを含む５枚以上のレンズ素子で構成され、
前記後続レンズ群は、前記フォーカシングの際に光軸に沿って移動するフォーカシングレンズ群として、最物体側に位置する第１フォーカシングレンズ群と、第２フォーカシングレンズ群とを少なくとも備え、
前記第１フォーカシングレンズ群及び前記第２フォーカシングレンズ群のうち少なくとも１つは、２枚以下のレンズ素子で構成され、
前記開口絞りよりも像側に、少なくとも１枚のレンズ素子を備え、
以下の条件（１）：
ＮＦ１≦ＮＦ２  ・・・（１）
（ここで、
ＮＦ１：第１フォーカシングレンズ群を構成するレンズ素子の数、
ＮＦ２：第２フォーカシングレンズ群を構成するレンズ素子の数
である）
を満足する
ことを特徴とする。
【０００７】
本開示における交換レンズ装置は、
物体側から像側へと順に、第１レンズ群と、後続レンズ群とからなり、
開口絞りを備え、
前記第１レンズ群は、無限遠合焦状態から近接物体合焦状態へのフォーカシングの際に、像面に対して固定であり、
前記第１レンズ群は、最物体側に位置し、正のパワーを有する第１正レンズ素子と、正のパワーを有する第２正レンズ素子とを含む５枚以上のレンズ素子で構成され、
前記後続レンズ群は、前記フォーカシングの際に光軸に沿って移動するフォーカシングレンズ群として、最物体側に位置する第１フォーカシングレンズ群と、第２フォーカシングレンズ群とを少なくとも備え、
前記第１フォーカシングレンズ群及び前記第２フォーカシングレンズ群のうち少なくとも１つは、２枚以下のレンズ素子で構成され、
前記開口絞りよりも像側に、少なくとも１枚のレンズ素子を備え、
以下の条件（１）：
ＮＦ１≦ＮＦ２  ・・・（１）
（ここで、
ＮＦ１：第１フォーカシングレンズ群を構成するレンズ素子の数、
ＮＦ２：第２フォーカシングレンズ群を構成するレンズ素子の数
である）
を満足するインナーフォーカスレンズ系と、
前記インナーフォーカスレンズ系が形成する光学像を受光して電気的な画像信号に変換する撮像素子を含むカメラ本体との接続が可能なレンズマウント部と
を備える
ことを特徴とする。
【０００８】
本開示におけるカメラシステムは、
物体側から像側へと順に、第１レンズ群と、後続レンズ群とからなり、
開口絞りを備え、
前記第１レンズ群は、無限遠合焦状態から近接物体合焦状態へのフォーカシングの際に、像面に対して固定であり、
前記第１レンズ群は、最物体側に位置し、正のパワーを有する第１正レンズ素子と、正のパワーを有する第２正レンズ素子とを含む５枚以上のレンズ素子で構成され、
前記後続レンズ群は、前記フォーカシングの際に光軸に沿って移動するフォーカシングレンズ群として、最物体側に位置する第１フォーカシングレンズ群と、第２フォーカシングレンズ群とを少なくとも備え、
前記第１フォーカシングレンズ群及び前記第２フォーカシングレンズ群のうち少なくとも１つは、２枚以下のレンズ素子で構成され、
前記開口絞りよりも像側に、少なくとも１枚のレンズ素子を備え、
以下の条件（１）：
ＮＦ１≦ＮＦ２  ・・・（１）
（ここで、
ＮＦ１：第１フォーカシングレンズ群を構成するレンズ素子の数、
ＮＦ２：第２フォーカシングレンズ群を構成するレンズ素子の数
である）
を満足するインナーフォーカスレンズ系、を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える
ことを特徴とする。
【発明の効果】
【０００９】
本開示におけるインナーフォーカスレンズ系は、小型でありながら、諸収差の発生が充分に抑制され、解像度が高く高性能である。
【図面の簡単な説明】
【００１０】
【図１】実施の形態１（数値実施例１）に係るインナーフォーカスレンズ系の無限遠合焦状態及び近接物体合焦状態を示すレンズ配置図
【図２】数値実施例１に係るインナーフォーカスレンズ系の無限遠合焦状態及び近接物体合焦状態の縦収差図
【図３】数値実施例１に係るインナーフォーカスレンズ系の無限遠合焦状態における、像ぶれ補正を行っていない基本状態及び像ぶれ補正状態での横収差図
【図４】実施の形態２（数値実施例２）に係るインナーフォーカスレンズ系の無限遠合焦状態及び近接物体合焦状態を示すレンズ配置図
【図５】数値実施例２に係るインナーフォーカスレンズ系の無限遠合焦状態及び近接物体合焦状態の縦収差図
【図６】数値実施例２に係るインナーフォーカスレンズ系の無限遠合焦状態における、像ぶれ補正を行っていない基本状態及び像ぶれ補正状態での横収差図
【図７】実施の形態３（数値実施例３）に係るインナーフォーカスレンズ系の無限遠合焦状態及び近接物体合焦状態を示すレンズ配置図
【図８】数値実施例３に係るインナーフォーカスレンズ系の無限遠合焦状態及び近接物体合焦状態の縦収差図
【図９】数値実施例３に係るインナーフォーカスレンズ系の無限遠合焦状態における、像ぶれ補正を行っていない基本状態及び像ぶれ補正状態での横収差図
【図１０】実施の形態４（数値実施例４）に係るインナーフォーカスレンズ系の無限遠合焦状態及び近接物体合焦状態を示すレンズ配置図
【図１１】数値実施例４に係るインナーフォーカスレンズ系の無限遠合焦状態及び近接物体合焦状態の縦収差図
【図１２】数値実施例４に係るインナーフォーカスレンズ系の無限遠合焦状態における、像ぶれ補正を行っていない基本状態及び像ぶれ補正状態での横収差図
【図１３】実施の形態５（数値実施例５）に係るインナーフォーカスレンズ系の無限遠合焦状態及び近接物体合焦状態を示すレンズ配置図
【図１４】数値実施例５に係るインナーフォーカスレンズ系の無限遠合焦状態及び近接物体合焦状態の縦収差図
【図１５】数値実施例５に係るインナーフォーカスレンズ系の無限遠合焦状態における、像ぶれ補正を行っていない基本状態及び像ぶれ補正状態での横収差図
【図１６】実施の形態６に係るレンズ交換式デジタルカメラシステムの概略構成図
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を充分に理解するために添付図面および以下の説明を提供するのであって、これらによって請求の範囲に記載の主題を限定することを意図するものではない。
【００１３】
（実施の形態１〜５）
図１、４、７、１０及び１３は、各々実施の形態１〜５に係るインナーフォーカスレンズ系のレンズ配置図である。
【００１４】
各図において、（ａ）図は無限遠合焦状態のレンズ構成、（ｂ）図は近接物体合焦状態（物体距離：１ｍ）のレンズ構成をそれぞれ表している。また各図において、（ａ）図と（ｂ）図との間に設けられた直線の矢印は、上から、無限遠合焦状態、近接物体合焦状態の各状態におけるレンズ群の位置を結んで得られる直線である。無限遠合焦状態と近接物体合焦状態との間は、単純に直線で接続されているだけであり、実際の各レンズ群の動きとは異なる。
【００１５】
各図において、各レンズ群の符号に付された記号（＋）及び記号（−）は、各レンズ群のパワーの符号に対応する。また各図において、最も右側に記載された直線は、像面Ｓの位置を表している。
【００１６】
（実施の形態１）
図１に示すように、第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。
【００１７】
第２レンズ群Ｇ２は、物体側に凸面を向けた負メニスカス形状の第７レンズ素子Ｌ７のみからなる。
【００１８】
第３レンズ群Ｇ３は、物体側から像側へと順に、両凸形状の第８レンズ素子Ｌ８と、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２と、両凹形状の第１３レンズ素子Ｌ１３とからなる。これらのうち、第８レンズ素子Ｌ８と第９レンズ素子Ｌ９とが接合されており、第１１レンズ素子Ｌ１１と第１２レンズ素子Ｌ１２と第１３レンズ素子Ｌ１３とが接合されている。
【００１９】
なお、第３レンズ群Ｇ３において、第８レンズ素子Ｌ８の物体側には、開口絞りＡが配置されている。
【００２０】
第４レンズ群Ｇ４は、像側に凸面を向けた正メニスカス形状の第１４レンズ素子Ｌ１４のみからなる。
【００２１】
第５レンズ群Ｇ５は、像側に凸面を向けた正メニスカス形状の第１５レンズ素子Ｌ１５のみからなる。
【００２２】
実施の形態１に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００２３】
また、第３レンズ群Ｇ３の一部である第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００２４】
（実施の形態２）
図４に示すように、第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。
【００２５】
第２レンズ群Ｇ２は、物体側に凸面を向けた負メニスカス形状の第７レンズ素子Ｌ７のみからなる。
【００２６】
第３レンズ群Ｇ３は、物体側から像側へと順に、両凸形状の第８レンズ素子Ｌ８と、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２と、両凹形状の第１３レンズ素子Ｌ１３とからなる。これらのうち、第８レンズ素子Ｌ８と第９レンズ素子Ｌ９とが接合されており、第１１レンズ素子Ｌ１１と第１２レンズ素子Ｌ１２と第１３レンズ素子Ｌ１３とが接合されている。
【００２７】
なお、第３レンズ群Ｇ３において、第８レンズ素子Ｌ８の物体側には、開口絞りＡが配置されている。
【００２８】
第４レンズ群Ｇ４は、像側に凸面を向けた正メニスカス形状の第１４レンズ素子Ｌ１４のみからなる。
【００２９】
第５レンズ群Ｇ５は、像側に凸面を向けた正メニスカス形状の第１５レンズ素子Ｌ１５のみからなる。
【００３０】
実施の形態２に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００３１】
また、第３レンズ群Ｇ３の一部である第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００３２】
（実施の形態３）
図７に示すように、第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、物体側に凸面を向けた正メニスカス形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。
【００３３】
第２レンズ群Ｇ２は、物体側に凸面を向けた負メニスカス形状の第７レンズ素子Ｌ７のみからなる。
【００３４】
第３レンズ群Ｇ３は、物体側から像側へと順に、両凸形状の第８レンズ素子Ｌ８と、両凹形状の第９レンズ素子Ｌ９と、両凸形状の第１０レンズ素子Ｌ１０と、両凹形状の第１１レンズ素子Ｌ１１と、両凸形状の第１２レンズ素子Ｌ１２と、両凹形状の第１３レンズ素子Ｌ１３とからなる。これらのうち、第８レンズ素子Ｌ８と第９レンズ素子Ｌ９とが接合されており、第１１レンズ素子Ｌ１１と第１２レンズ素子Ｌ１２と第１３レンズ素子Ｌ１３とが接合されている。
【００３５】
なお、第３レンズ群Ｇ３において、第８レンズ素子Ｌ８の物体側には、開口絞りＡが配置されている。
【００３６】
第４レンズ群Ｇ４は、物体側から像側へと順に、両凸形状の第１４レンズ素子Ｌ１４と、像側に凸面を向けた負メニスカス形状の第１５レンズ素子Ｌ１５とからなる。また、これら第１４レンズ素子Ｌ１４と第１５レンズ素子Ｌ１５とが接合されている。
【００３７】
第５レンズ群Ｇ５は、像側に凸面を向けた負メニスカス形状の第１６レンズ素子Ｌ１６のみからなる。
【００３８】
実施の形態３に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００３９】
また、第３レンズ群Ｇ３の一部である第１０レンズ素子Ｌ１０が後述する像ぶれ補正レンズ群に相当し、該第１０レンズ素子Ｌ１０を光軸に直交する方向に移動させることによって、全系の振動による像点移動を補正する、すなわち、手ぶれ、振動等による像のぶれを光学的に補正することができる。
【００４０】
（実施の形態４）
図１０に示すように、第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた正メニスカス形状の第５レンズ素子Ｌ５とからなる。これらのうち、第３レンズ素子Ｌ３と第４レンズ素子Ｌ４とが接合されている。
【００４１】
第２レンズ群Ｇ２は、物体側に凸面を向けた負メニスカス形状の第６レンズ素子Ｌ６のみからなる。
【００４２】
第３レンズ群Ｇ３は、物体側から像側へと順に、両凸形状の第７レンズ素子Ｌ７と、両凹形状の第８レンズ素子Ｌ８と、両凸形状の第９レンズ素子Ｌ９と、両凹形状の第１０レンズ素子Ｌ１０と、両凸形状の第１１レンズ素子Ｌ１１と、両凹形状の第１２レンズ素子Ｌ１２とからなる。これらのうち、第７レンズ素子Ｌ７と第８レンズ素子Ｌ８とが接合されており、第１０レンズ素子Ｌ１０と第１１レンズ素子Ｌ１１と第１２レンズ素子Ｌ１２とが接合されている。
【００４３】
なお、第３レンズ群Ｇ３において、第７レンズ素子Ｌ７の物体側には、開口絞りＡが配置されている。
【００４４】
第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。また、これら第１３レンズ素子Ｌ１３と第１４レンズ素子Ｌ１４とが接合されている。
【００４５】
第５レンズ群Ｇ５は、像側に凸面を向けた正メニスカス形状の第１５レンズ素子Ｌ１５のみからなる。
【００４６】
実施の形態４に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動し、第５レンズ群Ｇ５が光軸に沿って物体側へ移動する。
【００４７】
また、第３レンズ群Ｇ３の一部である第９レンズ素子Ｌ９が後述する像ぶれ補正レンズ群に相当し、該第９レンズ素子Ｌ９を光軸に直交する方向に移動させることによって、全系の振動による像点移動を補正する、すなわち、手ぶれ、振動等による像のぶれを光学的に補正することができる。
【００４８】
（実施の形態５）
図１３に示すように、第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた負メニスカス形状の第４レンズ素子Ｌ４と、物体側に凸面を向けた正メニスカス形状の第５レンズ素子Ｌ５と、物体側に凸面を向けた負メニスカス形状の第６レンズ素子Ｌ６と、物体側に凸面を向けた正メニスカス形状の第７レンズ素子Ｌ７とからなる。これらのうち、第３レンズ素子Ｌ３と第４レンズ素子Ｌ４とが接合されており、第６レンズ素子Ｌ６と第７レンズ素子Ｌ７とが接合されている。
【００４９】
第２レンズ群Ｇ２は、物体側に凸面を向けた負メニスカス形状の第８レンズ素子Ｌ８のみからなる。
【００５０】
第３レンズ群Ｇ３は、物体側から像側へと順に、両凸形状の第９レンズ素子Ｌ９と、両凹形状の第１０レンズ素子Ｌ１０と、両凸形状の第１１レンズ素子Ｌ１１と、両凹形状の第１２レンズ素子Ｌ１２と、両凸形状の第１３レンズ素子Ｌ１３と、両凹形状の第１４レンズ素子Ｌ１４とからなる。これらのうち、第９レンズ素子Ｌ９と第１０レンズ素子Ｌ１０とが接合されており、第１２レンズ素子Ｌ１２と第１３レンズ素子Ｌ１３と第１４レンズ素子Ｌ１４とが接合されている。
【００５１】
なお、第３レンズ群Ｇ３において、第９レンズ素子Ｌ９の物体側には、開口絞りＡが配置されている。
【００５２】
第４レンズ群Ｇ４は、物体側から像側へと順に、像側に凸面を向けた正メニスカス形状の第１５レンズ素子Ｌ１５と、像側に凸面を向けた負メニスカス形状の第１６レンズ素子Ｌ１６と、像側に凸面を向けた正メニスカス形状の第１７レンズ素子Ｌ１７とからなる。これらのうち、第１５レンズ素子Ｌ１５と第１６レンズ素子Ｌ１６とが接合されている。
【００５３】
実施の形態５に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００５４】
また、第３レンズ群Ｇ３の一部である第１１レンズ素子Ｌ１１が後述する像ぶれ補正レンズ群に相当し、該第１１レンズ素子Ｌ１１を光軸に直交する方向に移動させることによって、全系の振動による像点移動を補正する、すなわち、手ぶれ、振動等による像のぶれを光学的に補正することができる。
【００５５】
実施の形態１〜５に係るインナーフォーカスレンズ系では、第１レンズ群Ｇ１が無限遠合焦状態から近接物体合焦状態へのフォーカシングの際に像面に対して固定であるので、フォーカシングに伴う球面収差の変動が少なく、優れた結像特性を維持してフォーカシングを行うことができる。
【００５６】
実施の形態１〜５に係るインナーフォーカスレンズ系では、第１レンズ群Ｇ１が、最物体側に位置し、正のパワーを有する第１正レンズ素子と、正のパワーを有する第２正レンズ素子とを含む５枚以上のレンズ素子で構成されているので、軸上色収差が小さいインナーフォーカスレンズ系の提供が可能である。
【００５７】
実施の形態１〜５に係るインナーフォーカスレンズ系では、第１レンズ群Ｇ１よりも像側に後続レンズ群が配置されており、該後続レンズ群が、無限遠合焦状態から近接物体合焦状態へのフォーカシングの際に光軸に沿って移動するフォーカシングレンズ群として、最物体側に位置する第１フォーカシングレンズ群と、第２フォーカシングレンズ群とを少なくとも備えているので、フォーカシングに伴う球面収差の変動が少なく、優れた結像特性を維持してフォーカシングを行うことができる。
【００５８】
実施の形態１〜５に係るインナーフォーカスレンズ系では、前記第１フォーカシングレンズ群及び前記第２フォーカシングレンズ群のうち少なくとも１つが、２枚以下のレンズ素子で構成されているので、高速かつ静音なフォーカシングを行うことができる。
【００５９】
実施の形態１〜５に係るインナーフォーカスレンズ系では、開口絞りＡよりも像側に、少なくとも１枚のレンズ素子を備えているので、各レンズ素子上の光線高さを低く抑えることができ、歪曲収差を小さくすることができる。
【００６０】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００６１】
以下、例えば実施の形態１〜５に係るインナーフォーカスレンズ系のごときインナーフォーカスレンズ系が満足することが可能な条件を説明する。なお、各実施の形態に係るインナーフォーカスレンズ系に対して、複数の可能な条件が規定されるが、これら複数の条件すべてを満足するインナーフォーカスレンズ系の構成が最も効果的である。しかしながら、個別の条件を満足することにより、それぞれ対応する効果を奏するインナーフォーカスレンズ系を得ることも可能である。
【００６２】
例えば実施の形態１〜５に係るインナーフォーカスレンズ系のように、物体側から像側へと順に、第１レンズ群と、後続レンズ群とからなり、開口絞りを備え、前記第１レンズ群は、無限遠合焦状態から近接物体合焦状態へのフォーカシングの際に、像面に対して固定であり、前記第１レンズ群は、最物体側に位置し、正のパワーを有する第１正レンズ素子と、正のパワーを有する第２正レンズ素子とを含む５枚以上のレンズ素子で構成され、前記後続レンズ群は、前記フォーカシングの際に光軸に沿って移動するフォーカシングレンズ群として、最物体側に位置する第１フォーカシングレンズ群と、第２フォーカシングレンズ群とを少なくとも備え、前記第１フォーカシングレンズ群及び前記第２フォーカシングレンズ群のうち少なくとも１つは、２枚以下のレンズ素子で構成され、前記開口絞りよりも像側に、少なくとも１枚のレンズ素子を備える（以下、このレンズ構成を、実施の形態の基本構成という）インナーフォーカスレンズ系は、以下の条件（１）を満足する。
ＮＦ１≦ＮＦ２  ・・・（１）
ここで、
ＮＦ１：第１フォーカシングレンズ群を構成するレンズ素子の数、
ＮＦ２：第２フォーカシングレンズ群を構成するレンズ素子の数
である。
【００６３】
前記条件（１）は、第１フォーカシングレンズ群を構成するレンズ素子の数と第２フォーカシングレンズ群を構成するレンズ素子の数との多少を規定する条件である。条件（１）を満足しないと、第１フォーカシングレンズ群を構成するレンズ素子の数が第２フォーカシングレンズ群を構成するレンズ素子の数よりも多くなってしまい、高速かつ静音なフォーカシングの達成が困難となる。さらに、フォーカシングに伴う非点収差の変動を抑制することが困難となる。
【００６４】
以下の条件（１）’を満足することにより、前記効果をさらに奏功させることができる。
ＮＦ１≦ＮＦ２−１  ・・・（１）’
【００６５】
例えば実施の形態１〜５に係るインナーフォーカスレンズ系のように、基本構成を有するインナーフォーカスレンズ系は、以下の条件（２）を満足することが有益である。
ＭＦ１／ＭＦ２＞２  ・・・（２）
ここで、
ＭＦ１：フォーカシングの際の第１フォーカシングレンズ群の最大移動量、
ＭＦ２：フォーカシングの際の第２フォーカシングレンズ群の最大移動量
である。
【００６６】
前記条件（２）は、第１フォーカシングレンズ群の最大移動量と第２フォーカシングレンズ群の最大移動量との比を規定する条件である。条件（２）の下限を下回ると、第２フォーカシングレンズ群の最大移動量が大きくなりすぎ、フォーカシングに伴う倍率色収差の変動を抑制することが困難となる。
【００６７】
以下の条件（２）’を満足することにより、前記効果をさらに奏功させることができる。
ＭＦ１／ＭＦ２＞１０  ・・・（２）’
【００６８】
例えば実施の形態１〜５に係るインナーフォーカスレンズ系のように、基本構成を有するインナーフォーカスレンズ系は、以下の条件（３）を満足することが有益である。
νｄＬ１＜３５  ・・・（３）
ここで、
νｄＬ１：第１正レンズ素子のｄ線に対するアッベ数
である。
【００６９】
前記条件（３）は、第１正レンズ素子のアッベ数を規定する条件である。条件（３）の上限を上回ると、第１レンズ群で発生する色収差が大きくなりすぎ、軸上色収差の発生を抑制することが困難となる。
【００７０】
以下の条件（３）’を満足することにより、前記効果をさらに奏功させることができる。
νｄＬ１＜２５  ・・・（３）’
【００７１】
例えば実施の形態１〜５に係るインナーフォーカスレンズ系のように、基本構成を有するインナーフォーカスレンズ系は、以下の条件（４）を満足することが有益である。
ｎｄＬ１＞１．８  ・・・（４）
ここで、
ｎｄＬ１：第１正レンズ素子のｄ線に対する屈折率
である。
【００７２】
前記条件（４）は、第１正レンズ素子の屈折率を規定する条件である。条件（４）の下限を下回ると、球面収差の発生を抑制することが困難となる。
【００７３】
以下の条件（４）’を満足することにより、前記効果をさらに奏功させることができる。
ｎｄＬ１＞１．８６  ・・・（４）’
【００７４】
例えば実施の形態１〜５に係るインナーフォーカスレンズ系のように、基本構成を有するインナーフォーカスレンズ系は、以下の条件（５）を満足することが有益である。
１＜｜ｆＦ１／ｆＦ２｜＜３  ・・・（５）
ここで、
ｆＦ１：第１フォーカシングレンズ群の焦点距離、
ｆＦ２：第２フォーカシングレンズ群の焦点距離
である。
【００７５】
前記条件（５）は、第１フォーカシングレンズ群の焦点距離と第２フォーカシングレンズ群の焦点距離との比を規定する条件である。条件（５）の下限を下回ると、第１フォーカシングレンズ群のパワーが強くなりすぎ、フォーカシングに伴う非点収差の変動を抑制することが困難となる。逆に条件（５）の上限を上回ると、第２フォーカシングレンズ群のパワーが強くなりすぎ、フォーカシングに伴う軸上色収差の変動を抑制することが困難となる。
【００７６】
以下の条件（５）’及び（５）’’の少なくとも１つを満足することにより、前記効果をさらに奏功させることができる。
１．５＜｜ｆＦ１／ｆＦ２｜  ・・・（５）’
｜ｆＦ１／ｆＦ２｜＜２．２  ・・・（５）’’
【００７７】
例えば実施の形態１〜５に係るインナーフォーカスレンズ系のように、基本構成を有するインナーフォーカスレンズ系は、像のぶれを光学的に補正するために光軸に対して垂直方向に移動する像ぶれ補正レンズ群をさらに備え、以下の条件（６）を満足することが有益である。
０．１＜｜ｆＯＩＳ／ｆＡ｜＜２  ・・・（６）
ここで、
ｆＯＩＳ：像ぶれ補正レンズ群の焦点距離、
ｆＡ：インナーフォーカスレンズ系全系の焦点距離
である。
【００７８】
前記条件（６）は、像ぶれ補正レンズ群の焦点距離とインナーフォーカスレンズ系全系の焦点距離との比を規定する条件である。条件（６）の下限を下回ると、像ぶれ補正レンズ群のパワーが強くなりすぎ、像ぶれ補正に伴う偏心コマ収差の発生を抑制することが困難となる。逆に条件（６）の上限を上回ると、像ぶれ補正レンズ群のパワーが弱くなりすぎ、像ぶれ補正時の像ぶれ補正レンズ群の垂直方向への移動量が大きくなり、インナーフォーカスレンズ系の小型化の達成が困難となる。
【００７９】
以下の条件（６）’及び（６）’’の少なくとも１つを満足することにより、前記効果をさらに奏功させることができる。
０．２＜｜ｆＯＩＳ／ｆＡ｜  ・・・（６）’
｜ｆＯＩＳ／ｆＡ｜＜０．４  ・・・（６）’’
【００８０】
例えば実施の形態１〜５に係るインナーフォーカスレンズ系のように、基本構成を有するインナーフォーカスレンズ系は、像のぶれを光学的に補正するために光軸に対して垂直方向に移動する像ぶれ補正レンズ群をさらに備え、以下の条件（７）を満足することが有益である。
０．１＜｜ｆＯＩＳ／ｆＦ１｜＜１．２  ・・・（７）
ここで、
ｆＯＩＳ：像ぶれ補正レンズ群の焦点距離、
ｆＦ１：第１フォーカシングレンズ群の焦点距離
である。
【００８１】
前記条件（７）は、像ぶれ補正レンズ群の焦点距離と第１フォーカシングレンズ群の焦点距離との比を規定する条件である。条件（７）の下限を下回ると、像ぶれ補正レンズ群のパワーが強くなりすぎ、像ぶれ補正に伴う偏心コマ収差の発生を抑制することが困難となる。逆に条件（７）の上限を上回ると、像ぶれ補正レンズ群のパワーが弱くなりすぎ、像ぶれ補正時の像ぶれ補正レンズ群の垂直方向への移動量が大きくなり、インナーフォーカスレンズ系の小型化の達成が困難となる。
【００８２】
以下の条件（７）’及び（７）’’の少なくとも１つを満足することにより、前記効果をさらに奏功させることができる。
０．３＜｜ｆＯＩＳ／ｆＦ１｜  ・・・（７）’
｜ｆＯＩＳ／ｆＦ１｜＜０．５  ・・・（７）’’
【００８３】
例えば実施の形態１〜５に係るインナーフォーカスレンズ系のように、基本構成を有するインナーフォーカスレンズ系は、像のぶれを光学的に補正するために光軸に対して垂直方向に移動する像ぶれ補正レンズ群をさらに備え、以下の条件（８）を満足することが有益である。
０．４＜｜ｆＯＩＳ／ｆＦ２｜＜０．９２  ・・・（８）
ここで、
ｆＯＩＳ：像ぶれ補正レンズ群の焦点距離、
ｆＦ２：第２フォーカシングレンズ群の焦点距離
である。
【００８４】
前記条件（８）は、像ぶれ補正レンズ群の焦点距離と第２フォーカシングレンズ群の焦点距離との比を規定する条件である。条件（８）の下限を下回ると、像ぶれ補正レンズ群のパワーが強くなりすぎ、像ぶれ補正に伴う偏心コマ収差の発生を抑制することが困難となる。逆に条件（８）の上限を上回ると、像ぶれ補正レンズ群のパワーが弱くなりすぎ、像ぶれ補正時の像ぶれ補正レンズ群の垂直方向への移動量が大きくなり、インナーフォーカスレンズ系の小型化の達成が困難となる。
【００８５】
以下の条件（８）’及び（８）’’の少なくとも１つを満足することにより、前記効果をさらに奏功させることができる。
０．５＜｜ｆＯＩＳ／ｆＦ２｜  ・・・（８）’
｜ｆＯＩＳ／ｆＦ２｜＜０．８  ・・・（８）’’
【００８６】
例えば実施の形態１〜５に係るインナーフォーカスレンズ系のように、基本構成を有するインナーフォーカスレンズ系は、以下の条件（９）を満足することが有益である。
０．３＜｜ｆＧ１／ｆＦ１｜＜１．１  ・・・（９）
ここで、
ｆＧ１：第１レンズ群の焦点距離、
ｆＦ１：第１フォーカシングレンズ群の焦点距離
である。
【００８７】
前記条件（９）は、第１レンズ群の焦点距離と第１フォーカシングレンズ群の焦点距離との比を規定する条件である、条件（９）の下限を下回ると、第１レンズ群のパワーが強くなりすぎ、球面収差と軸上色収差の発生を抑制することが困難となる。逆に条件（９）の上限を上回ると、第１フォーカシングレンズ群のパワーが強くなりすぎ、フォーカシングに伴う非点収差の変動を抑制することが困難となる。
【００８８】
以下の条件（９）’及び（９）’’の少なくとも１つを満足することにより、前記効果をさらに奏功させることができる。
０．６＜｜ｆＧ１／ｆＦ１｜  ・・・（９）’
｜ｆＧ１／ｆＦ１｜＜１．０  ・・・（９）’’
【００８９】
例えば実施の形態１〜５に係るインナーフォーカスレンズ系のように、基本構成を有するインナーフォーカスレンズ系は、以下の条件（１０）を満足することが有益である。
｜ＴＨＦ１／ｆＡ｜＜０．０３  ・・・（１０）
ここで、
ＴＨＦ１：第１フォーカシングレンズ群の光軸上での厚み、
ｆＡ：インナーフォーカスレンズ系全系の焦点距離
である。
【００９０】
前記条件（１０）は、第１フォーカシングレンズ群の光軸上での厚みとインナーフォーカスレンズ系全系の焦点距離との比を規定する条件である。条件（１０）の上限を上回ると、第１フォーカシングレンズ群の光軸上での厚みが大きくなりすぎ、フォーカシングに伴う非点収差の変動を抑制することが困難となる。
【００９１】
以下の条件（１０）’を満足することにより、前記効果をさらに奏功させることができる。
｜ＴＨＦ１／ｆＡ｜＜０．０２  ・・・（１０）’
【００９２】
例えば実施の形態１〜５に係るインナーフォーカスレンズ系のように、基本構成を有するインナーフォーカスレンズ系は、以下の条件（１１）を満足することが有益である。
｜ＴＨＦ２／ｆＡ｜＜０．０５  ・・・（１１）
ここで、
ＴＨＦ２：第２フォーカシングレンズ群の光軸上での厚み、
ｆＡ：インナーフォーカスレンズ系全系の焦点距離
である。
【００９３】
前記条件（１１）は、第２フォーカシングレンズ群の光軸上での厚みとインナーフォーカスレンズ系全系の焦点距離との比を規定する条件である。条件（１１）の上限を上回ると、第２フォーカシングレンズ群の光軸上での厚みが大きくなりすぎ、フォーカシングに伴う軸上色収差の変動を抑制することが困難となる。
【００９４】
以下の条件（１１）’を満足することにより、前記効果をさらに奏功させることができる。
｜ＴＨＦ２／ｆＡ｜＜０．０４  ・・・（１１）’
【００９５】
例えば実施の形態１〜５に係るインナーフォーカスレンズ系のように、基本構成を有するインナーフォーカスレンズ系は、像のぶれを光学的に補正するために光軸に対して垂直方向に移動する像ぶれ補正レンズ群をさらに備え、該像ぶれ補正レンズ群が、１枚のレンズ素子で構成されていることが有益である。該像ぶれ補正レンズ群が複数のレンズ素子で構成されている場合、像ぶれ補正レンズ群を光軸に対して垂直方向に移動させるためのアクチュエータが大型化し、インナーフォーカスレンズ系の小型化の達成が困難となる。また、像ぶれ補正に伴う偏心コマ収差の発生の抑制が困難となる。
【００９６】
例えば実施の形態１〜５に係るインナーフォーカスレンズ系のように、基本構成を有するインナーフォーカスレンズ系では、第１フォーカシングレンズ群が負のパワーを有することが有益である。該第１フォーカシングレンズ群が負のパワーを有さない場合、フォーカシングに伴う倍率色収差の変動の抑制が困難となる。
【００９７】
例えば実施の形態１〜５に係るインナーフォーカスレンズ系のように、基本構成を有するインナーフォーカスレンズ系では、開口絞りが、第１フォーカシングレンズ群と第２フォーカシングレンズ群との間に配置されていることが有益である。該開口絞りが、第１フォーカシングレンズ群と第２フォーカシングレンズ群との間に配置されていない場合、各レンズ素子上の光線高さが高くなりすぎ、歪曲収差の発生の抑制が困難となる。
【００９８】
例えば実施の形態１〜５に係るインナーフォーカスレンズ系のように、基本構成を有するインナーフォーカスレンズ系では、無限遠合焦状態から近接物体合焦状態へのフォーカシングの際に像面に対して固定であるレンズ群が、第１フォーカシングレンズ群と第２フォーカシングレンズ群との間に配置されていることが有益である。フォーカシングの際に像面に対して固定であるレンズ群が、第１フォーカシングレンズ群と第２フォーカシングレンズ群との間に配置されていない場合、フォーカシングに伴う非点収差の変動の抑制が困難となる。
【００９９】
例えば実施の形態１〜５に係るインナーフォーカスレンズ系のように、基本構成を有するインナーフォーカスレンズ系は、像のぶれを光学的に補正するために光軸に対して垂直方向に移動する像ぶれ補正レンズ群をさらに備え、該像ぶれ補正レンズ群が、第１フォーカシングレンズ群と第２フォーカシングレンズ群との間に配置されていることが有益である。該像ぶれ補正レンズ群が第１フォーカシングレンズ群と第２フォーカシングレンズ群との間に配置されていない場合、像ぶれ補正に伴う偏心非点収差の発生の抑制が困難となる。
【０１００】
例えば実施の形態１〜５に係るインナーフォーカスレンズ系のように、基本構成を有するインナーフォーカスレンズ系では、第１レンズ群を構成するすべてのレンズ素子が、メニスカス形状を有することが有益である。第１レンズ群の中に、メニスカス形状を有さないレンズ素子が含まれる場合、非点収差の発生の抑制が困難となる。
【０１０１】
実施の形態１〜５に係るインナーフォーカスレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【０１０２】
また、実施の形態１〜５に係るインナーフォーカスレンズ系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
【０１０３】
（実施の形態６）
図１６は、実施の形態６に係るレンズ交換式デジタルカメラシステムの概略構成図である。
【０１０４】
本実施の形態６に係るレンズ交換式デジタルカメラシステム１００は、カメラ本体１０１と、カメラ本体１０１に着脱自在に接続される交換レンズ装置２０１とを備える。
【０１０５】
カメラ本体１０１は、交換レンズ装置２０１のインナーフォーカスレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜５いずれかに係るインナーフォーカスレンズ系２０２と、インナーフォーカスレンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１６においては、インナーフォーカスレンズ系２０２として実施の形態１に係るインナーフォーカスレンズ系を用いた場合を図示している。
【０１０６】
本実施の形態６では、実施の形態１〜５いずれかに係るインナーフォーカスレンズ系２０２を用いているので、コンパクトで結像性能に優れた交換レンズ装置を低コストで実現することができる。また、本実施の形態６に係るカメラシステム１００全体の小型化及び低コスト化も達成することができる。
【０１０７】
なお、本実施の形態６に係るレンズ交換式デジタルカメラシステムでは、インナーフォーカスレンズ系２０２として実施の形態１〜５に係るインナーフォーカスレンズ系を示したが、これらのインナーフォーカスレンズ系は、全てのフォーカシング域を使用しなくてもよい。すなわち、所望のフォーカシング域に応じて、光学性能が確保されている範囲を切り出して使用してもよい。
【０１０８】
また、以上説明した実施の形態１〜５に係るインナーフォーカスレンズ系と、ＣＣＤやＣＭＯＳ等の撮像素子とから構成される撮像装置を、スマートフォン等の携帯情報端末のカメラ、監視システムにおける監視カメラ、Ｗｅｂカメラ、車載カメラ等に適用することもできる。
【０１０９】
以上のように、本出願において開示する技術の例示として、実施の形態６を説明した。しかしながら、本開示における技術は、これに限定されず、適宜、変更、置き換え、付加、省略などを行った実施の形態にも適用可能である。
【０１１０】
以下、実施の形態１〜５に係るインナーフォーカスレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。
【０１１１】
図２、５、８、１１及び１４は、各々数値実施例１〜５に係るインナーフォーカスレンズ系の縦収差図である。
【０１１２】
各縦収差図において、（ａ）図は無限遠合焦状態、（ｂ）図は近接物体合焦状態における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１１３】
図３、６、９、１２及び１５は、各々数値実施例１〜５に係るインナーフォーカスレンズ系の無限遠合焦状態における横収差図である。
【０１１４】
各横収差図において、上段３つの収差図は、無限遠合焦状態における像ぶれ補正を行っていない基本状態、下段３つの収差図は、像ぶれ補正レンズ群を光軸と垂直な方向に所定量移動させた無限遠合焦状態における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１１５】
なお、数値実施例１〜５のインナーフォーカスレンズ系について、無限遠合焦状態における、像ぶれ補正状態での像ぶれ補正レンズ群の光軸と垂直な方向への移動量は、いずれも０．６５ｍｍである。
【０１１６】
撮影距離が無限遠で、インナーフォーカスレンズ系が０．４°だけ傾いた場合の像偏心量は、像ぶれ補正レンズ群が光軸と垂直な方向に上記値だけ平行移動するときの像偏心量に等しい。
【０１１７】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、インナーフォーカスレンズ系の像ぶれ補正角が同じ場合には、インナーフォーカスレンズ系全体の焦点距離が短くなるにつれて、像ぶれ補正に必要な平行移動量が減少する。したがって、いずれのフォーカス位置であっても、０．４°までの像ぶれ補正角に対して、結像特性を低下させることなく充分な像ぶれ補正を行うことが可能である。
【０１１８】
（数値実施例１）
数値実施例１のインナーフォーカスレンズ系は、図１に示した実施の形態１に対応する。数値実施例１のインナーフォーカスレンズ系の面データを表１に、各種データを表２に示す。
【０１１９】
表  １（面データ）
面番号         r           d           nd         vd    
物面             ∞        可変                      
1         61.56450     4.69240     1.92286    20.9  
2        135.49310     0.20000                      
3         62.51620     5.79680     1.43700    95.1  
4        320.40420     0.20000                      
5         46.67900     7.04750     1.59349    67.0  
6       3705.03860     1.60000     1.90366    31.3  
7         62.15600    10.12130                      
8         37.44560     1.30000     2.00069    25.5  
9         21.72900     6.30300     1.43700    95.1  
10         97.59980        可変                      
11        122.06850     1.05000     1.62041    60.3  
12         38.54290        可変                      
13(絞り)           ∞     2.00000                      
14         60.39180     3.59230     1.77250    49.6  
15        -27.34940     1.00000     1.74077    27.8  
16         20.39520     2.66240                      
17         34.47190     2.51550     1.88300    40.8  
18       -132.94540     3.03970                      
19        -44.93320     1.20000     1.92286    20.9  
20         12.17350     8.12330     1.84666    23.8  
21        -15.45310     0.80000     1.80420    46.5  
22         46.88660        可変                      
23       -254.96420     2.11870     1.92286    20.9  
24        -35.79630        可変                      
25        -21.07090     1.59920     1.48749    70.4  
26        -17.37880    35.34770                      
27               ∞        (BF)                      
像面             ∞                                  
【０１２０】
表  ２（各種データ）
無限遠      近接
焦点距離     146.2142  139.0971
Ｆナンバー     2.91065   2.92693
画角         4.1995    3.5203
像高        10.8150   10.8150
レンズ全長    132.5800  132.5800
ＢＦ        0.00000   0.00000
d0               ∞ 1000.0000 
d10          2.4270   12.7922 
d12         14.2504    3.8852 
d22          7.9192    7.7636 
d24          5.6736    5.8292 
入射瞳位置    139.4733  156.0545
射出瞳位置   -104.8342 -104.0063
前側主点位置   81.7589   62.3095
後側主点位置  -13.6347  -27.4285
レンズ群データ
群   始面    焦点距離  レンズ構成長    前側主点位置  後側主点位置
1      1    77.46029    37.26100       -15.80039       1.06001
2     11   -91.23168     1.05000         0.95158       1.35046
3     13   -33.64340    24.93320        15.30012      23.10908
4     23    44.91530     2.11870         1.27589       2.29783
5     25   178.16252     1.59920         5.37292       6.03067
【０１２１】
（数値実施例２）
数値実施例２のインナーフォーカスレンズ系は、図４に示した実施の形態２に対応する。数値実施例２のインナーフォーカスレンズ系の面データを表３に、各種データを表４に示す。
【０１２２】
表  ３（面データ）
面番号         r           d           nd         vd        
物面             ∞        可変                           
1         57.12540     5.87100     1.84666    23.8       
2        160.83630    12.90360                           
3         56.28260     3.92010     1.49700    81.6       
4        120.12150     0.20000                           
5         38.20590     6.79070     1.59349    67.0       
6        763.59730     1.60000     2.00100    29.1       
7         32.83580     5.67120                           
8         44.70900     1.30000     1.74950    35.0       
9         27.64100     5.87940     1.49700    81.6       
10        253.45580        可変                           
11        176.05290     1.05000     1.62041    60.3       
12         42.89340        可変                           
13(絞り)           ∞     2.00000                           
14         41.49390     8.54550     1.77250    49.6       
15        -31.11700     1.00000     1.74077    27.8       
16         20.95330     2.93600                           
17         39.48730     3.12930     1.88300    40.8       
18       -123.85680     3.42830                           
19        -53.33040     1.20000     1.92286    20.9       
20         15.79770     9.51370     1.84666    23.8       
21        -22.77160     0.80000     1.80420    46.5       
22         42.74800        可変                           
23       -159.61710     3.66030     1.92286    20.9       
24        -32.12560        可変                           
25        -23.29870     4.86340     1.59349    67.0       
26        -20.73320    39.41020                           
27               ∞        (BF)                           
像面             ∞                                       
【０１２３】
表  ４（各種データ）
無限遠      近接
焦点距離     146.2049  151.8434
Ｆナンバー     2.91046   2.92990
画角         4.2181    3.4283
像高        10.8150   10.8150
レンズ全長    158.5790  158.5796
ＢＦ        0.00000   0.00000
d0               ∞ 1000.0000 
d10          2.0000   15.4977 
d12         17.1921    3.6949 
d22          7.2754    7.2164 
d24          6.4388    6.4979 
入射瞳位置    145.2087  164.4178
射出瞳位置   -152.4921 -151.8204
前側主点位置  151.2416  136.7664
後側主点位置   12.3795  -16.6325
レンズ群データ
群   始面    焦点距離  レンズ構成長    前側主点位置  後側主点位置
1      1    97.29559    44.13600       -16.31923       0.60322
2     11   -91.68463     1.05000         0.85931       1.25936
3     13   -52.45861    32.55280        32.27842      38.33714
4     23    42.99028     3.66030         2.35084       4.13345
5     25   185.95998     4.86340        16.24645      19.32090
【０１２４】
（数値実施例３）
数値実施例３のインナーフォーカスレンズ系は、図７に示した実施の形態３に対応する。数値実施例３のインナーフォーカスレンズ系の面データを表５に、各種データを表６に示す。
【０１２５】
表  ５（面データ）
面番号         r           d           nd         vd        
物面             ∞        可変                          
1         57.30010     5.66200     1.84666    23.8            
2        164.89120     2.50290                                
3         52.36090     4.67070     1.49700    81.6            
4        111.10980     0.20000                                
5         36.03920     7.93970     1.59282    68.6            
6        401.76890     1.60000     1.80610    33.3            
7         28.73000     7.03090                                
8         32.91070     1.30000     1.84666    23.8            
9         21.50030     6.51900     1.49700    81.6            
10         93.72630        可変                                
11        143.16010     1.05000     1.60311    60.7            
12         35.59520        可変                              
13(絞り)           ∞     2.00000                              
14         53.64380     3.74480     1.77250    49.6          
15        -31.41830     1.00000     1.68893    31.2          
16         21.63850     2.52430                              
17         31.47310     2.58880     1.88300    40.8          
18       -325.84920     2.42530                              
19        -60.81460     1.20000     1.92286    20.9          
20         14.13680     8.27140     1.84666    23.8          
21        -50.90930     0.80000     1.80420    46.5          
22         55.71660        可変                              
23        134.00100     3.87560     1.84666    23.8          
24        -21.58420     1.00000     1.48749    70.4          
25       -111.32940        可変                              
26        -16.00760     1.84390     1.80420    46.5          
27        -16.38590    18.77010                              
28               ∞        (BF)                              
像面             ∞                                          
【０１２６】
表  ６（各種データ）
無限遠      近接
焦点距離     104.4078  103.3694
Ｆナンバー     2.08038   2.09468
画角         5.8884    5.0027
像高        10.8150   10.8150
レンズ全長    113.5699  113.5701
ＢＦ        0.00000   0.00000
d0               ∞ 1000.0000 
d10          2.6009   11.0803 
d12         12.7298    4.2504 
d22          4.4078    4.0078 
d25          5.3120    5.7122 
入射瞳位置    126.6710  139.8437
射出瞳位置    -72.5960  -71.0638
前側主点位置   80.9209   65.1679
後側主点位置    9.1629   -0.8489
レンズ群データ
群   始面    焦点距離  レンズ構成長    前側主点位置  後側主点位置
1      1    75.27599    37.42520       -13.34556       2.74340
2     11   -78.83944     1.05000         0.87493       1.26754
3     13   -66.50676    24.55460        21.98558      28.42133
4     23    37.04790     4.87560         1.73956       3.81801
5     26   735.26748     1.84390        36.88007      39.59554
【０１２７】
（数値実施例４）
数値実施例４のインナーフォーカスレンズ系は、図１０に示した実施の形態４に対応する。数値実施例４のインナーフォーカスレンズ系の面データを表７に、各種データを表８に示す。
【０１２８】
表  ７（面データ）
面番号         r           d           nd         vd            
物面             ∞        可変                         
1         50.97710     6.29410     1.84666    23.8           
2        141.55960    12.79400                              
3         51.53990     4.26990     1.49700    81.6          
4        131.37540     0.20000                              
5         33.06630     7.08600     1.49700    81.6          
6      14424.79050     1.60000     2.00069    25.5          
7         27.84500     5.82710                              
8         41.88650     3.28650     1.59349    67.0          
9        212.41860        可変                              
10        120.59720     1.05000     1.77250    49.6          
11         43.16490        可変                              
12(絞り)           ∞     2.00000                              
13         40.69110     4.42950     1.80420    46.5          
14        -26.19720     1.00000     1.78472    25.7          
15         20.14660     2.81350                              
16         35.07530     2.75520     1.88300    40.8          
17       -159.39370     2.26040                              
18        -64.84320     1.20000     1.92286    20.9          
19         15.96920    10.02450     1.84666    23.8          
20        -16.17400     0.80000     1.80420    46.5          
21         34.36220        可変                              
22       2369.59610     2.84680     1.84666    23.8          
23        -23.37970     1.00000     1.48749    70.4          
24       -104.02680        可変                              
25        -24.71940     1.83690     1.48749    70.4          
26        -18.46640        可変                              
27               ∞        (BF)                              
像面             ∞                                          
【０１２９】
表  ８（各種データ）
無限遠      近接
焦点距離     146.2137  138.0775
Ｆナンバー     2.91029   2.93167
画角         4.2187    3.5357
像高        10.8150   10.8150
レンズ全長    138.5579  138.5583
ＢＦ        0.00000   0.00000
d0               ∞ 1000.0000 
d9           2.0000   12.4283 
d11         14.1607    3.7327 
d21          5.2604    4.9735 
d24         11.9632   11.7245 
d26         29.7992   30.3249 
入射瞳位置    140.5462  155.4503
射出瞳位置   -102.7191 -100.8140
前側主点位置   78.6728   55.4456
後側主点位置   -7.6370  -20.2541
レンズ群データ
群   始面    焦点距離  レンズ構成長    前側主点位置  後側主点位置
1      1    82.20456    41.35760        -9.16048       3.16193
2     10   -87.54301     1.05000         0.92809       1.38219
3     12   -41.99048    27.28310        21.09058      28.88220
4     22    49.15068     3.84680         1.67028       3.30058
5     25   136.59895     1.83690         4.45310       5.16354
【０１３０】
（数値実施例５）
数値実施例５のインナーフォーカスレンズ系は、図１３に示した実施の形態５に対応する。数値実施例５のインナーフォーカスレンズ系の面データを表９に、各種データを表１０に示す。
【０１３１】
表  ９（面データ）
面番号         r           d           nd         vd     
物面             ∞        可変                        
1         64.74380     3.88630     1.92286    20.9          
2        124.60930    11.94080                              
3         63.71490     4.64310     1.43700    95.1          
4        240.38450     0.20000                              
5         45.63800     6.14790     1.59349    67.0          
6        770.69560     1.60000     1.90366    31.3          
7         66.91790     4.19470                              
8         35.00000     1.94730     1.49700    81.6          
9         40.00000     0.20000                              
10         36.78000     1.30000     2.00100    29.1          
11         22.14700     6.96270     1.43700    95.1          
12        145.62780        可変                              
13        115.90770     1.05000     1.62041    60.3          
14         38.02670        可変                              
15(絞り)           ∞     2.00000                              
16         84.67260     3.27180     1.77250    49.6          
17        -28.82550     1.00000     1.74077    27.8          
18         21.92490     2.61130                              
19         35.51900     2.56070     1.88300    40.8          
20       -139.27170     2.33800                              
21        -51.70220     1.20000     1.92286    20.9          
22         16.76600     6.83090     1.84666    23.8          
23        -20.14650     0.80000     1.80420    46.5          
24         49.92590        可変                              
25       -890.09740     2.76330     1.84666    23.8          
26        -28.00370     1.00000     1.51680    64.2          
27        -63.95420     6.99240                              
28        -24.88630     1.23230     1.51680    64.2          
29        -21.28380        可変                              
30               ∞        (BF)                              
像面             ∞                                          
【０１３２】
表  １０（各種データ）
無限遠      近接
焦点距離     146.2152  134.9628
Ｆナンバー     2.91067   2.93493
画角         4.1980    3.6362
像高        10.8150   10.8150
レンズ全長    136.5407  136.6470
ＢＦ        0.00000   0.00000
d0               ∞ 1000.0000 
d12          2.0000   10.2748 
d14         12.4586    4.1840 
d24         10.7942   10.1942 
d29         32.6144   33.3205 
入射瞳位置    126.3536  137.1569
射出瞳位置   -102.9938 -100.3436
前側主点位置   64.9954   45.5283
後側主点位置   -9.6739  -18.2726
レンズ群データ
群   始面    焦点距離  レンズ構成長    前側主点位置  後側主点位置
1      1    68.87039    43.02280        -0.84530      12.03395
2     13   -91.69358     1.05000         0.96938       1.36803
3     15   -35.55332    22.61270        12.67282      20.14580
4     25    45.68094    11.98800         4.06043       5.65984
【０１３３】
以下の表１１に、各数値実施例のインナーフォーカスレンズ系における各条件の対応値を示す。
【０１３４】
表  １１（条件の対応値）
【表１】
2014038304.tif 000003
【０１３５】
以上のように、本開示における技術の例示として、実施の形態を説明した。そのために、添付図面および詳細な説明を提供した。
【０１３６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１３７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１３８】
本開示は、デジタルスチルカメラ、デジタルビデオカメラ、スマートフォン等の携帯情報端末のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【０１３９】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  インナーフォーカスレンズ系
２０３  鏡筒
２０４  レンズマウント部
【図１】
2014038304.tif 000004
【図２】
2014038304.tif 000005
【図３】
2014038304.tif 000006
【図４】
2014038304.tif 000007
【図５】
2014038304.tif 000008
【図６】
2014038304.tif 000009
【図７】
2014038304.tif 000010
【図８】
2014038304.tif 000011
【図９】
2014038304.tif 000012
【図１０】
2014038304.tif 000013
【図１１】
2014038304.tif 000014
【図１２】
2014038304.tif 000015
【図１３】
2014038304.tif 000016
【図１４】
2014038304.tif 000017
【図１５】
2014038304.tif 000018
【図１６】
2014038304.tif 000019